(57)【要約】【課題】使用者が物品を置き易いように、椅子本体の脚部間に物入れが着脱自在に設置された物入れを有する椅子を提供する。【解決手段】物入れを有する椅子は、椅子本体１及び物入れ２を備える。椅子本体１は、複数の脚部１１を有し、複数の脚部１１が取り囲んでスペース１２が画成される。複数の脚部１１の内側には、互いに対向するように第１の組立部１３が設けられる。物入れ２は、椅子本体１の複数の脚部１１により画成されたスペース１２に着脱自在に設置され、収容空間２１と、各脚部１１の第１の組立部１３に対応した箇所に形成された第２の組立部２２とを有する。第２の組立部２２は、対応した第１の組立部１３に引掛けたり第１の組立部１３から外したりする。椅子本体１の第１の組立部１３はフックである。物入れ２の第２の組立部２２は、第１の組立部１３を引掛けたり外したりすることが可能な引掛け孔である。【選択図】図１
0003209104.tif 000002
【実用新案登録請求の範囲】
【請求項１】
椅子本体及び物入れを備えた物入れを有する椅子であって、
前記椅子本体は、複数の脚部を有し、前記複数の脚部が取り囲んでスペースが画成され、前記複数の脚部の内側には、互いに対向するように第１の組立部が設けられ、
前記物入れは、前記椅子本体の前記複数の脚部により画成された前記スペースに着脱自在に設置され、収容空間と、各前記脚部の前記第１の組立部に対応した箇所に形成された第２の組立部とを有し、
前記第２の組立部は、対応した前記第１の組立部に引掛けたり前記第１の組立部から外したりすることを特徴とする、
物入れを有する椅子。
【請求項２】
前記椅子本体の前記第１の組立部はフックであり、前記物入れの前記第２の組立部は、フックである前記第１の組立部を引掛けたり外したりすることが可能な引掛け孔であることを特徴とする請求項１に記載の物入れを有する椅子。
【請求項３】
前記椅子本体の前記第１の組立部は引掛け孔であり、前記物入れの前記第２の組立部は、引掛け孔である前記第１の組立部に引掛けたり前記第１の組立部から外したりすることが可能なフックであることを特徴とする請求項１に記載の物入れを有する椅子。
【考案の詳細な説明】
【技術分野】
【０００１】
本考案は、物入れを有する椅子に関し、特に、使用者の物品を置き易いように、椅子本体の脚部間に着脱自在に物入れが設置された、物入れを有する椅子に関する。
【背景技術】
【０００２】
椅子は日常生活に不可欠な家具であり、自宅、学校、事務室、レストランなどあらゆる場所で人々が座ることができるように椅子が置かれている。また、人々が外出する際、手提げ袋などの物品を持ったり、リュックを背負ったりすることが一般的である。例えば、学生は通学バッグを背負い、サラリーマンはビジネスバッグを持ち、女性達はハンドバッグを持つことが一般的である。
【０００３】
従来の椅子は物入れの機能を備えていないため、手提げ袋などの物品を持った人が椅子に座る場合、手提げ袋などの物品を背負うか膝の上に置いたり、別の椅子の上に置いたり、床に置いたりすることが一般的であった。
しかし、手提げ袋などの物品を背負ったり膝の上に置いたりすると、物品の重さにより不快に感じ、別の椅子の上に置いた場合、他人がその椅子に座れなくなり、手提げ袋などの物品を床に直接置くと汚れてしまう虞があった。そのため、従来、外出する際に携帯する手提げ袋などの物品を置く場所が無く不便であった。
【０００４】
そのため、本考案者は外出する際に携帯する手提げ袋などの物品を置くのに適した場所を探すことが困難であった従来技術の問題点を改善する物入れを有する椅子を開発した。
【考案の概要】
【考案が解決しようとする課題】
【０００５】
本考案の目的は、使用者が物品を置くのに便利なように、椅子本体の脚部間に物入れが着脱自在に設置された物入れを有する椅子を提供することにある。
【課題を解決するための手段】
【０００６】
上記課題を解決するために、本考案の第１の形態によれば、椅子本体及び物入れを備えた物入れを有する椅子であって、前記椅子本体は、複数の脚部を有し、前記複数の脚部が取り囲んでスペースが画成され、前記複数の脚部の内側には、互いに対向するように第１の組立部が設けられ、前記物入れは、前記椅子本体の前記複数の脚部により画成された前記スペースに着脱自在に設置され、収容空間と、各前記脚部の前記第１の組立部に対応した箇所に形成された第２の組立部とを有し、前記第２の組立部は、対応した前記第１の組立部に引掛けたり前記第１の組立部から外したりすることを特徴とする物入れを有する椅子が提供される。
【０００７】
前記椅子本体の前記第１の組立部はフックであり、前記物入れの前記第２の組立部は、フックである前記第１の組立部を引掛けたり外したりすることが可能な引掛け孔であることが好ましい。
【０００８】
前記椅子本体の前記第１の組立部は引掛け孔であり、前記物入れの前記第２の組立部は、引掛け孔である前記第１の組立部に引掛けたり前記第１の組立部から外したりすることが可能なフックであることが好ましい。
【考案の効果】
【０００９】
本考案の物入れを有する椅子は、使用者が座ったときに携帯している手提げ袋などの物品を物入れに置くことができるため、手提げ袋などの物品を背負ったり床に置いたりする必要がなく、不快に感じたり物品を汚したりすることがない上、本考案を使用しない場合、物入れを椅子本体から外し、複数の椅子本体と物入れとを別々に積み重ねて占有空間を縮小することができる。
【図面の簡単な説明】
【００１０】
【図１】本考案の一実施形態に係る物入れを有する椅子を示す分解斜視図である。
【図２】本考案の一実施形態に係る物入れを有する椅子を示す斜視図である。
【図３】本考案の一実施形態に係る物入れを有する椅子を示す組立断面図である。
【考案を実施するための形態】
【００１１】
本考案の技術手段及びそれにより達成可能な効果を、より完全かつ明白に開示するために、開示した添付の図面及び符号と併せて本考案を以下詳説する。
【００１２】
図１を参照する。図１に示すように、本考案の一実施形態に係る物入れを有する椅子は、少なくとも椅子本体１及び物入れ２から構成されてなる。
【００１３】
椅子本体１は、複数の脚部１１を有する。複数の脚部１１が取り囲んでスペース１２が画成され、複数の脚部１１の内側には、互いに対向するように第１の組立部１３が設けられる。第１の組立部１３はフックでもよい。
【００１４】
物入れ２は、椅子本体１の複数の脚部１１により画成されたスペース１２に着脱自在に設置され、物入れ２に収容空間２１が形成され、物入れ２には、各脚部１１の第１の組立部１３に対応するように第２の組立部２２が設けられる。第２の組立部２２は、フック状の第１の組立部１３を引掛けたり外したりすることができる引掛け孔でもよい。物入れ２は、金属線が縦横に交叉されて溶接され、メッシュ状の筐体に成形され、その網孔を第２の組立部２２の引掛け孔として用いてもよい。
【００１５】
図２及び図３を併せて参照する。実際に組み立てる際、本考案の一実施形態に係る物入れを有する椅子の物入れ２を、椅子本体１の複数の脚部１１が取り囲んで画成されたスペース１２に設置してから、引掛け孔状の第２の組立部２２に、椅子本体１の各脚部１１の内側がフック状を呈する第１の組立部１３を引掛け、椅子本体１の複数の脚部１１間に物入れ２を位置決めさせる。椅子本体１の複数の脚部１１間に元からあったスペース１２を有効利用することができるため、余計な空間を別途占有する必要がない。
【００１６】
物品、手提げ袋などを持っている者が椅子に座る場合、その手提げ袋などの物品を本考案の椅子の物入れ２の清潔な場所である収容空間２１中に置くことにより、手提げ袋などの物品を背負ったり膝の上に置いて不快に感じることを防ぐことができる上、別の椅子の上に置くことで他人がその椅子に座れなくなったり、床に直接置いて汚れてしまうことを防ぐことができる。そのため、本考案の椅子を利用することにより、椅子に座る際、携帯した手提げ袋などの物品を置く場所が無く不便であった従来の問題を改善することができる。
【００１７】
本考案の一実施形態に係る物入れを有する椅子が設置された場所を整理する場合、椅子本体１の複数の脚部１１間に引掛けた物入れ２を複数の脚部１１間から取り外した後、複数の脚部１１間に元からあったスペース１２を利用し、複数の椅子本体１を積み重ねて収納したり、収容空間２１を利用して物入れ２を互いに収納して積み重ねてもよい。
本考案の椅子を使用しない場合、占有空間を大幅に小さくすることができるため、容易に運搬整理を行うことができ、製造業者又は小売業者にとっても、本考案を使用しない場合、互いに積み重ねて設置空間を縮小し、保管及び運送にかかるコストを大幅に減らすことができる。
【００１８】
前述した実施形態又は図面は、本考案の物入れを有する椅子の実施形態を特に限定せず、本考案を複数の脚部１１の第１の組立部１３を引掛け孔に形成してもよい上、物入れ２の第２の組立部２２をフックなどに成形してもよく、本考案の物入れを有する椅子の主旨と領域を逸脱しない範囲内で各種の変更や修正を加えることができる。
【００１９】
上述した構造及び実施方式から分かるように、本考案の物入れを有する椅子は、以下（１）〜（３）の長所を有する。
（１）椅子本体の複数の脚部に形成したスペースに物入れを組み合わせ、手提げ袋などの物品を携帯している者が椅子に座る際に物品を置く場所を提供する。
（２）椅子本体の複数の脚部間に元からあったスペースを物入れを設置する箇所として有効利用するため、余計な空間を占有しない。
（３）本考案を使用しない場合、物入れを椅子本体から外し、複数の椅子本体と物入れとを別々に積み重ねて収納することができるため、占有空間を縮小することができ、使用する業者にとって場所を整理し易い上、製造業者又は小売業者にとっては保管及び運送にかかるコストを大幅に減らすことができる。
【符号の説明】
【００２０】
１    椅子本体
２    物入れ
１１  脚部
１２  スペース
１３  第１の組立部
２１  収容空間
２２  第２の組立部
【図１】
0003209104.tif 000003
【図２】
0003209104.tif 000004
【図３】
0003209104.tif 000005